(57)【要約】【課題】出金処理時におけるリジェクト対象紙幣を減らす。【解決手段】紙幣処理装置（入出金機１）は、出金処理時に、収納部３から繰り出した紙幣を、出金部２３に払い出す前に、予め設定された複数の識別要因についての識別を行うように構成された識別部２５と、複数の識別要因毎に、当該識別要因が、リジェクト対象紙幣か否かの判断に利用する判断要因であるか、又は、その判断に利用しない非要因であるかを設定するように構成された設定部（操作部５５、通信部５７）と、識別部による識別結果と、設定部による設定内容とに基づいて、各紙幣について、リジェクト対象紙幣であるか、又は、リジェクト対象外紙幣であるかを決定するよう構成された制御部５１３と、を備えている。【選択図】図６
2014026307.tif 000002
【特許請求の範囲】
【請求項１】
収納している紙幣を一枚ずつ繰り出し可能に構成された収納部、
出金処理時に、前記収納部から繰り出した前記紙幣を払い出すように構成された出金部、
前記出金部に払い出す前に、前記収納部から繰り出した前記各紙幣に対し、予め設定された複数の識別要因についての識別を行うように構成された識別部、
前記複数の識別要因毎に、当該識別要因が、リジェクト対象紙幣か否かの判断に利用する判断要因であるか、又は、その判断に利用しない非要因であるかを設定するように構成された設定部、及び、
前記識別部による識別結果と、前記設定部による設定内容とに基づいて、前記収納部から繰り出した前記各紙幣について、リジェクト対象紙幣であるか、又は、リジェクト対象外紙幣であるかを決定するよう構成された制御部、を備えている紙幣処理装置。
【請求項２】
入金処理時に、投入された前記紙幣を一枚ずつ繰り出すように構成された入金部をさらに備え、
前記識別部は、前記入金部から繰り出された前記各紙幣に対し、複数の前記識別要因についての識別を行い、
前記制御部は、前記識別部による識別結果と、前記設定部による設定内容とに基づいて、前記入金部から繰り出された前記各紙幣について、リジェクト対象紙幣であるか、又は、リジェクト対象外紙幣であるかを決定し、
前記設定部は、前記出金処理時における設定内容と、前記入金処理時における設定内容とを、それぞれ個別に設定することが可能である請求項１に記載の紙幣処理装置。
【請求項３】
前記設定部は、前記識別要因が、判断要因であるか、又は、非要因であるかを、手入力によって設定する操作部により構成されている請求項１又は２に記載の紙幣処理装置。
【請求項４】
上位機において、前記識別要因が、判断要因であるか、又は、非要因であるかが設定され、
前記設定部は、前記上位機から送信された設定内容信号を受信する通信部により構成されている請求項１〜３のいずれか１項に記載の紙幣処理装置。
【請求項５】
複数の前記識別要因は、前記紙幣の枚数を認識可能な要因と、前記紙幣の枚数を認識不可能な要因とを含んでおり、
前記設定部は、前記複数の識別要因の内、前記紙幣の枚数を認識可能な要因を、非要因に設定することが可能な一方、前記紙幣の枚数を認識不可能な要因を、非要因に設定することができない請求項１〜４のいずれか１項に記載の紙幣処理装置。
【請求項６】
前記収納部の状態が正常であるか又は異常であるかを示すフラグが設定されており、
前記制御部は、前記フラグが正常を示しているときには、前記設定部によって設定された設定内容に従って、リジェクト対象紙幣であるか、又は、リジェクト対象外紙幣であるかを決定する一方、前記フラグが異常を示しているときには、前記複数の識別要因の全てを判断要因として、リジェクト対象紙幣であるか、又は、リジェクト対象外紙幣であるかを決定する請求項１〜５のいずれか１項に記載の紙幣処理装置。
【請求項７】
ユーザに対する警告を行うように構成された警告部をさらに備え、
前記出金部は、前記出金処理時にリジェクト対象紙幣であると決定された紙幣を、前記リジェクト対象外紙幣と共に払い出すように構成され、
前記警告部は、前記出金部に前記リジェクト対象紙幣が払い出されたときに警告を行う請求項１〜６のいずれか１項に記載の紙幣処理装置。
【請求項８】
前記収納部は、前記入金処理時にリジェクト対象外紙幣であると決定された紙幣を収納し、
前記収納部に収納されている各紙幣について、前記入金処理時の識別結果を記憶する記憶部をさらに備え、
前記制御部は、前記出金処理時に、前記判断要因には該当せずかつ、前記非要因に該当する紙幣については、前記記憶部に記憶されている識別結果を読み出すと共に、当該読み出した識別結果を、前記出金処理時に識別した識別結果として利用する請求項２〜７のいずれか１項に記載の紙幣処理装置。
【請求項９】
出金処理時に、収納部に収納している紙幣を一枚ずつ繰り出し、
前記収納部から繰り出した前記各紙幣に対し、予め設定された複数の識別要因についての識別を行い、
予め、前記複数の識別要因毎に、当該識別要因が、リジェクト対象紙幣か否かの判断に利用する判断要因であるか、又は、その判断に利用しない非要因であるかを設定しておき、
前記識別結果と、前記設定内容とに基づいて、前記収納部から繰り出した前記各紙幣について、リジェクト対象紙幣であるか、又は、リジェクト対象外紙幣であるかを決定する紙幣処理方法。
【発明の詳細な説明】
【技術分野】
【０００１】
ここに開示する技術は、紙幣処理装置及び紙幣処理方法に関する。
【背景技術】
【０００２】
特許文献１には、入金処理時に紙幣に対する識別を行うと共に、その識別結果（金種及び／又は正損）に応じて、複数の収納部に振り分けて紙幣を収納する一方で、出金処理時には紙幣の識別を行わずに、収納部から繰り出した紙幣を、出金口に払い出す紙幣入出金機が記載されている。
【０００３】
入金処理時の識別に関して、特許文献２に記載された入出金機では、識別部による識別の結果、正常でないと判断されて返却された紙幣について、ユーザがその返却紙幣を目視して金種情報を手入力すると共に再投入が可能となるように構成している。再投入された紙幣については、当初の識別とはレベルを変更して識別を行うと共に、その識別結果と手入力された金種情報とが一致した場合に、手入力情報に基づいて紙幣を所定の収納部に収納するようにしている。このような処理は、入金処理時におけるリジェクト対象紙幣を減らすことができるという利点がある。
【０００４】
また、前述した特許文献１にも記載されているが、入金処理時に紙幣の識別を行うと共に、出金取引の確実性を高めるべく、出金処理時にも、収納部から繰り出した紙幣の識別を行うことが知られている。
【０００５】
例えば特許文献３に記載された入出金機では、出金処理時に、収納部から繰り出した紙幣について識別部により識別を行い、正常紙幣は出金口に払い出す一方、出金に適さないリジェクト対象紙幣を、出金口に払い出さないようにしている。つまり、この特許文献３に記載された入出金機では、リジェクト対象紙幣と判断した要因が、紙幣の斜行、重送、又は、連鎖等の特定の要因であるときには、紙幣を一時保留部に収納してしまうと、その後、一時保留部から再び紙幣を繰り出そうとする際に、ジャムや繰り出し異常が発生する可能性があるため、当該紙幣を回収カセットに収納するのに対し、そうした特定の要因ではなく、一時保留部からの再繰り出しも可能と判断されるリジェクト対象紙幣は、一時保留部に収納するようにしている。
【０００６】
さらに、特許文献４には、出金処理時に、収納部に収納している紙幣の利用効率の向上と、出金処理に要する時間の短縮とを両立するために、収納部から繰り出した紙幣を識別した結果、リジェクト対象紙幣と判断されたときに、収納部に収納されている紙幣の残量が所定量以上であるときには、当該紙幣を回収カセットに収納する一方で、収納部に収納されている紙幣の残量が所定量未満であるときには、別の識別部によって再識別を行うことが記載されている。
【０００７】
さらに、特許文献５には、出金処理時に、金種等の識別は可能な一方で、紙幣の斜行等に起因して、札長異常（形状異常）と識別される結果、無駄にリジェクト処理が行われることを回避するために、複数の通過センサの検出結果に基づき、斜行時でも紙幣の大きさを正確に測定することが記載されている。
【先行技術文献】
【特許文献】
【０００８】
【特許文献１】特開２０１２−７８９４９号公報
【特許文献２】特開２００８−３６６５号公報
【特許文献３】特開２００８−５２４７７号公報
【特許文献４】特開２００８−１２３２５８号公報
【特許文献５】特許第４６９４６１１号公報
【発明の概要】
【発明が解決しようとする課題】
【０００９】
前述したように、出金処理時に紙幣の識別を行うことは出金取引の確実性の向上に有効である。ここで、出金処理時に収納部から繰り出す紙幣はそもそも、補充処理において、正常紙幣として収納部に収納した紙幣であったり、又は、循環式の入出金機においては、入金処理時に識別を行うことによって正常紙幣として収納している紙幣であったりする。このため、紙幣そのものは正常であるものの、出金処理時の識別において、リジェクト対象紙幣であると判定される場合があるが、そうした判定は、紙幣の斜行や連鎖等の搬送異常に、主に起因している。
【００１０】
ところが、前述の通り、紙幣そのものは正常であることから、斜行や連鎖等によって出金処理時にリジェクト対象紙幣と判定されることは、誤判定、又は、不要なリジェクト判定ということもできる。出金処理時に、こうした誤判定等が頻繁に生じてしまうと、ユーザの使い勝手を損ねてしまうという問題もある。
【００１１】
ここに開示する技術は、かかる点に鑑みてなされたものであり、その目的とするところは、出金処理時におけるリジェクト対象紙幣を減らすことにある。
【課題を解決するための手段】
【００１２】
ここに開示する技術は、紙幣処理装置に係り、収納している紙幣を一枚ずつ繰り出し可能に構成された収納部、出金処理時に、前記収納部から繰り出した前記紙幣を払い出すように構成された出金部、前記出金部に払い出す前に、前記収納部から繰り出した前記各紙幣に対し、予め設定された複数の識別要因についての識別を行うように構成された識別部、前記複数の識別要因毎に、当該識別要因が、リジェクト対象紙幣か否かの判断に利用する判断要因であるか、又は、その判断に利用しない非要因であるかを設定するように構成された設定部、及び、前記識別部による識別結果と、前記設定部による設定内容とに基づいて、前記収納部から繰り出した前記各紙幣について、リジェクト対象紙幣であるか、又は、リジェクト対象外紙幣であるかを決定するよう構成された制御部、を備えている。
【００１３】
この構成によると、出金処理時には、収納部は、収納している紙幣を繰り出すと共に、識別部は、繰り出した紙幣の識別を行う。識別部は、予め設定されている複数の識別要因について識別を行う。複数の識別要因には、例えば、紙幣が斜めに搬送される斜行、複数枚の紙幣が連なって搬送される連鎖、複数枚の紙幣が重なって搬送される重送、紙幣の金種が確定できない金種判定異常、等が含まれる。
【００１４】
一方、設定部は、この複数の識別要因毎に、その識別要因がリジェクト対象紙幣か否かの判断に利用する判断要因であるか、又は、判断に利用しない非要因であるかを設定する。
【００１５】
そうして、制御部は、識別部による識別結果と、設定部による設定内容とに基づいて、収納部から繰り出した紙幣がリジェクト対象紙幣であるか、又は、リジェクト対象外紙幣であるかを決定する。具体的に、複数の識別要因の内の一部の要因のみが判断要因であると設定されている場合（言い換えると、一部の要因は非要因である）は、識別部による識別の結果、いずれかの識別要因に該当する紙幣であっても、当該識別要因が非要因であれば、リジェクト対象外紙幣と決定される。一方、当該識別要因が判断要因であれば、リジェクト対象であるかどうかを判断する紙幣と決定される。従って、単に紙幣の搬送に異常が生じているだけで、紙幣そのものは正常であることが保証できる識別要因を非要因に設定すれば、出金処理時の不要なリジェクト判定を減らすことが可能になる。このことは、出金取引の確実性を確保しつつも、ユーザの使い勝手を向上させる。
【００１６】
前記紙幣処理装置は、入金処理時に、投入された前記紙幣を一枚ずつ繰り出すように構成された入金部をさらに備え、前記識別部は、前記入金部から繰り出された前記各紙幣に対し、複数の前記識別要因についての識別を行い、前記制御部は、前記識別部による識別結果と、前記設定部による設定内容とに基づいて、前記入金部から繰り出された前記各紙幣について、リジェクト対象紙幣であるか、又は、リジェクト対象外紙幣であるかを決定し、前記設定部は、前記出金処理時における設定内容と、前記入金処理時における設定内容とを、それぞれ個別に設定することが可能である、としてもよい。
【００１７】
前述したように、収納部に収納している紙幣は、基本的には正常紙幣であるから、出金処理時においては複数の識別要因の内の一部の要因について、リジェクト対象紙幣であるか否かの判断に利用しなくても出金取引の確実性を確保することができ、逆に一部の要因を非要因にすることによって、不要なリジェクト判定を回避することが可能になる。
【００１８】
これに対し、入金処理時には、入金取引の確実性を確保すると共に、収納部に収納している紙幣が正常紙幣であることを保証するには、識別部が識別をする複数の識別要因の内の、できるだけ多くの要因又は全ての要因を、リジェクト対象紙幣であるか否かの判断に利用することが好ましい。従って、入金処理時における設定要因及び非要因の設定と、出金処理時における設定要因及び非要因の設定とを同じにするのではなく、個別に設定可能にすることで、入金処理時には入金取引の確実性を確保しつつ、収納部に収納している紙幣が正常紙幣であることの保証が可能になる一方、出金処理時には出金取引の確実性を確保しつつ、不要なリジェクト判定を回避することが可能になる。
【００１９】
前記設定部は、前記識別要因が、判断要因であるか、又は、非要因であるかを、手入力によって設定する操作部により構成されている、としてもよい。
【００２０】
また、上位機において、前記識別要因が、判断要因であるか、又は、非要因であるかが設定され、前記設定部は、前記上位機から送信された設定内容信号を受信する通信部により構成されている、としてもよい。
【００２１】
これらの構成によれば、紙幣処理装置のユーザは、判断要因であるか非要因であるかの設定を、紙幣処理装置の操作部又は上位端末を通じて行うことが可能になる。
【００２２】
複数の前記識別要因は、前記紙幣の枚数を認識可能な要因と、前記紙幣の枚数を認識不可能な要因とを含んでおり、前記設定部は、前記複数の識別要因の内、前記紙幣の枚数を認識可能な要因を、非要因に設定することが可能な一方、前記紙幣の枚数を認識不可能な要因を、非要因に設定することができない、としてもよい。
【００２３】
つまり、紙幣の枚数を認識不可能な要因を非要因に設定してしまうと、枚数が認識できないにも拘わらず、リジェクト対象外紙幣として取り扱われるため、例えば出金処理時において払い出した紙幣の枚数が不確定になってしまう。逆に、紙幣の枚数を認識可能な要因を非要因に設定しても、例えば出金処理時において払い出した紙幣の枚数を確定することが可能である。従って、紙幣の枚数を認識可能な要因のみを、非要因に設定可能にすることは、紙幣の処理の適正化を確保しつつも、不要なリジェクト判定を回避することを可能にする。
【００２４】
前記収納部の状態が正常であるか又は異常であるかを示すフラグが設定されており、前記制御部は、前記フラグが正常を示しているときには、前記設定部によって設定された設定内容に従って、リジェクト対象紙幣であるか、又は、リジェクト対象外紙幣であるかを決定する一方、前記フラグが異常を示しているときには、前記複数の識別要因の全てを判断要因として、リジェクト対象紙幣であるか、又は、リジェクト対象外紙幣であるかを決定する、としてもよい。
【００２５】
ここで、収納部の状態が正常であるとは、収納部に収納されている紙幣の枚数とカウントした紙幣の枚数とが一致していることが保証でき、それによって収納部に収納している紙幣の管理ができていることを意味し、収納部の状態が異常であるとは、収納部に収納されている紙幣の枚数とカウントした紙幣の枚数とが一致していることが保証できずに、収納部に収納している紙幣の管理ができていないことを意味する。例えば紙幣を収納部に収納しようとしているときに、その紙幣の出入口付近においてジャムが発生し、それを手で取り除いたような場合は、当該取り除いた紙幣が収納部に収納されたと判断されているか、紙幣が収納部に収納されていないと判断されているかが不明になることから、「エラー」として収納部の状態が異常となる。また、テープ巻き取り式の収納部から紙幣を繰り出そうとしているときに、テープと紙幣との分離ができずに、テープ及び紙幣の再巻き取りを行ったような場合には、再巻き取りに伴い紙幣が重なり合ってしまう可能性があることから、「リトライ」として収納部の状態が異常となる。さらに、収納部が開けられたり、収納部が紙幣処理装置から一旦取り外されて再度装着されたりした場合も、当該収納部の状態が異常となる。
【００２６】
前記の構成によると、フラグが、収納部の状態が異常であることを示しているときには、収納部に収納されている紙幣の管理ができていないことから、設定部によって複数の識別要因の一部が非要因に設定されていたとしても、全ての識別要因を判断要因として、リジェクト対象紙幣であるか、リジェクト対象外紙幣であるかの決定を行う。こうすることで、収納部に収納されている紙幣の管理ができていなくても、その収納部から繰り出した紙幣については、リジェクト対象紙幣であるか、リジェクト対象外紙幣であるかの決定が適確に行われる。その結果、出金取引の確実性を確保することが可能になる。
【００２７】
前記紙幣処理装置は、ユーザに対する警告を行うように構成された警告部をさらに備え、前記出金部は、前記出金処理時にリジェクト対象紙幣であると決定された紙幣を、前記リジェクト対象外紙幣と共に払い出すように構成され、前記警告部は、前記出金部に前記リジェクト対象紙幣が払い出されたときに警告を行う、としてもよい。
【００２８】
こうすることで、リジェクト対象紙幣もリジェクト対象外紙幣も共に出金部に払い出されるものの、リジェクト対象紙幣が出金部に払い出されたときには、警告部が警告を行うから、紙幣処理装置のユーザは、出金部に払い出された紙幣にリジェクト対象紙幣が含まれていることを確実に認識することが可能になり、違算の発生を未然に回避して出金取引の確実性が確保される。また、リジェクト対象紙幣もリジェクト対象外紙幣も共に出金部に払い出すことによって、リジェクト対象紙幣を収納する別途の収納部（例えば一時保留部）を省略することが可能になり、装置構成の簡略化が図られる。
【００２９】
前記収納部は、前記入金処理時にリジェクト対象外紙幣であると決定された紙幣を収納し、前記紙幣処理装置は、前記収納部に収納されている各紙幣について、前記入金処理時の識別結果を記憶する記憶部をさらに備え、前記制御部は、前記出金処理時に、前記判断要因には該当せずかつ、非要因に該当する紙幣については、前記記憶部に記憶されている識別結果を読み出すと共に、当該読み出した識別結果を、前記出金処理時に識別した識別結果として利用する、としてもよい。
【００３０】
出金処理時に、収納部から繰り出した紙幣の識別を行った際に、識別要因に該当したときには、当該紙幣の金種等の情報の読み取りができない場合がある。この場合、当該識別要因が非要因であるとすれば、紙幣の情報が読み取れないにも拘わらず、リジェクト対象外紙幣として取り扱われて、出金部に払い出されることになる。
【００３１】
一方で、入金処理時にリジェクト対象外紙幣であると決定されて、収納部に収納された紙幣は全て、金種等の情報の読み取りが正常に行われている。そこで、入金処理時に読み取った紙幣に関する情報を記憶部に記憶しておき、出金処理時に情報を読み取ることができなかった紙幣については、入金処理時に読み取った情報を利用することにより、リジェクト対象外紙幣として取り扱われる紙幣の全てについて、金種等の情報が得られるようになる。このことは、出金金額の確定を可能にし、出金取引の確実性を高める上で有利になる。
【００３２】
ここに開示する技術はまた、紙幣処理方法に係り、この紙幣処理方法は、出金処理時に、収納部に収納している紙幣を一枚ずつ繰り出し、前記収納部から繰り出した前記各紙幣に対し、予め設定された複数の識別要因についての識別を行い、予め、前記複数の識別要因毎に、当該識別要因が、リジェクト対象紙幣か否かの判断に利用する判断要因であるか、又は、その判断に利用しない非要因であるかを設定しておき、前記識別結果と、前記設定内容とに基づいて、前記収納部から繰り出した前記各紙幣について、リジェクト対象紙幣であるか、又は、リジェクト対象外紙幣であるかを決定する。
【００３３】
こうすることで、前記と同様に、出金処理時の不要なリジェクト判定を減らすことが可能になり、出金取引の確実性を確保しつつも、ユーザの使い勝手が向上する。
【発明の効果】
【００３４】
以上説明したように、前記の紙幣処理装置及び紙幣処理方法によると、出金処理時の不要なリジェクト判定が減り、出金取引の確実性を確保しつつも、ユーザの使い勝手が向上する。
【図面の簡単な説明】
【００３５】
【図１】紙幣処理装置の概略斜視図である。
【図２】紙幣処理装置の内部構造を示す概略図である。
【図３】紙幣処理装置の動作制御に係る構成を示す図である。
【図４】紙幣処理装置における入金処理の動作説明図である。
【図５】紙幣処理装置における出金処理の動作説明図である。
【図６】識別要因と、判断要因及び非要因との設定内容を例示する図である。
【図７】（ａ）紙幣の斜行を例示する図、（ｂ）紙幣の連鎖を例示する図、（ｃ）札長異常を例示する図、（ｄ）紙幣の重送を例示する図である。
【発明を実施するための形態】
【００３６】
以下、紙幣処理装置の実施形態を図面に基づいて説明する。尚、以下の実施形態の説明は例示である。図１は、紙幣入出金機（以下、単に入出金機という）１の外観を示している。この入出金機１は、例えば銀行のテラーカウンターに設置されかつ、この入出金機１を挟んだ左右二人のテラーによって共用で使用される。このため、この入出金機１は、基本的には左右対称に構成されている。
【００３７】
この入出金機１は、詳しくは後述するが、入金口２１１に投入された紙幣を収納部３に収納する入金処理、及び、収納部３に収納している紙幣を出金口２３１に払い出す出金処理を少なくとも実行する。この入出金機１は、いわゆる循環式の入出金機であり、出金処理時に払い出す紙幣には、入金処理時に収納部３に収納した紙幣が含まれる。
【００３８】
入出金機１は、図１及び２に示すように、上側の処理部１１と、下側の金庫部１３とに大別される。処理部１１を構成する筐体１１１内には、入金口２１１を有する入金部２１と、出金口２３１を有する出金部２３と、紙幣の識別を行う識別部２５と、入金部２１、出金部２３及び識別部２５を相互に連結するループ搬送路４１１を含む処理部側搬送部４１と、が配設されている。一方、金庫部１３を構成する筐体１３１内には、複数の（図例では８個の）巻き取り方式の収納モジュール３１を含んで構成された収納部３と、処理部側搬送部４１のループ搬送路４１１と各収納モジュール３１とを互いに接続する搬送路４３１を含む金庫部側搬送部４３と、が配設されている。ここで、金庫部１３を構成する筐体１３１は、処理部１１を構成する筐体１１１とは異なり、その内部に格納している収納部３等を、所定以上のセキュリティレベルで防護するように構成された防護筐体１３１である。防護筐体１３１の前面には、金庫部１３を開閉するための開閉扉１３３や電子錠１３３１が設けられている。
【００３９】
入金部２１の入金口２１１は、前述したように、例えば入金処理の際に入金する紙幣を投入するための口である。入金口２１１は、処理部側筐体１１１の上面において上向きに開口していて、複数枚の紙幣を一度に受け入れ可能に構成されている。入金部２１はまた、入金口２１１に投入された複数枚の紙幣を、一枚ずつ、ループ搬送路４１１に繰り出す繰り出し機構を備えている。
【００４０】
出金部２３の出金口２３１は、前述したように、例えば出金処理の際に紙幣を払い出すための口である。出金口２３１は、入金口２１１よりも装置手前側（図２の紙面右側）の、処理部側筐体１１１における上面から前面にかけての位置でかつ、斜め上方に向かって開口している。この出金口２３１も、入金口２１１と同様に、複数枚の紙幣を一度に保持可能に構成されている。
【００４１】
識別部２５は、ループ搬送路４１１上に配設されて、そのループ搬送路４１１に沿って搬送される紙幣の一枚一枚について、その真偽、金種及び正損等を識別するように構成されている。識別部２５が識別する識別要因については、後で詳述する。
【００４２】
処理部側搬送部４１は、処理部側筐体１１１内においてエンドレスに設けられたループ搬送路４１１を備えている。紙幣は、このループ搬送路４１１に沿って図２における時計回り方向及び反時計回り方向に搬送される。このループ搬送路４１１は、図示は省略するが、多数のローラ、複数のベルト及び複数のガイドの組み合わせによって構成されている。ループ搬送路４１１は、その搬送路に沿って、紙幣と紙幣との間に所定間隔を隔てた状態で、紙幣を一枚ずつ短手搬送する。
【００４３】
ループ搬送路４１１と入金口２１１との間は、投入路４１３によって互いに接続されており、入金口２１１に投入された紙幣は、この投入路４１３を通ってループ搬送路４１１まで搬送される。
【００４４】
ループ搬送路４１１にはまた、払出路４１５が、紙幣の搬送方向を切り替える分岐機構４１７を介して接続されている。払出路４１５の先端は、出金口２３１に接続されている。分岐機構４１７は、ループ搬送路４１１を時計回り方向及び反時計回り方向に搬送されている紙幣を、そのままループ搬送路４１１上で搬送させるか、払出路４１５に引き込むかを切り替えるように動作する。この構成によって、ループ搬送路４１１上を時計回り方向又は反時計回りに搬送されている紙幣は、分岐機構４１７の動作制御によって選択的に、払出路４１５を通って出金口２３１に搬送される。
【００４５】
ループ搬送路４１１上にはまた、第１−第３の分岐機構４１９，４１１１，４１１３が設けられている。第１−第３の分岐機構４１９−４１１３はそれぞれ、互いに異なる３方向に延びる搬送路の集合位置において、所定方向から搬送されてくる紙幣を、それとは別の２方向それぞれに選択的に搬送させるように動作する。分岐機構の具体的な構成は、国際公開第２００９／０３４７５８号に例示されている。
【００４６】
より具体的に、第１の分岐機構４１９は、ループ搬送路４１１と金庫部側搬送部４３の搬送路４３１との接続位置に設けられている。第１の分岐機構４１９は、ループ搬送路４１１上を時計回り方向又は反時計回りに搬送されている紙幣を、選択的に、金庫部側搬送部４３の搬送路４３１に送って、収納部３に収納させるか、又は、収納部３から繰り出されかつ、金庫部側搬送部４３の搬送路４３１に沿って搬送されてきた紙幣を、ループ搬送路４１１上で時計回り方向に搬送させるか、若しくは、反時計回り方向に搬送させるかの切り替えを行う。
【００４７】
また、第２の分岐機構４１１１は、ループ搬送路４１１と接続路４１１５との接続位置に設けられている。接続路４１１５は、詳しくは後述するが、図２においては仮想的に示す一時保留部５１と、ループ搬送路４１１とを互いに連結する。第２の分岐機構４１１１は、ループ搬送路４１１上を時計回り方向又は反時計回りに搬送されている紙幣を、接続路４１１５に送って一時保留部５１に収納させるか、又は、一時保留部５１から繰り出した紙幣を、ループ搬送路４１１上で時計回り方向に搬送させるか、若しくは、反時計回り方向に搬送させるかの切り替えを行う。
【００４８】
さらに、第３の分岐機構４１１３は、ループ搬送路４１１とカセット接続路４１１７との接続位置に設けられている。カセット接続路４１１７は、詳しくは後述するが、図２において仮想的に示す回収カセット５３と、ループ搬送路４１１とを互いに連結する。第３の分岐機構４１１３は、ループ搬送路４１１上を時計回り方向又は反時計回りに搬送されている紙幣を、選択的にカセット接続路４１１７に送り、それを回収カセット５３に収納するように動作する。
【００４９】
収納部３は、前述したように、図例では第１−第８の巻き取り方式（言い換えると、テープ式）の収納モジュール３１−１−３１−８を含んで構成されている。ここで、以下の説明において、各々の収納モジュールを総称する場合には、符号「３１」を付し、第１、第２、第３…の、各々の収納モジュールを区別する場合には、符号「３１−１、３１−２、３１−３…」を付す。尚、収納モジュール３１の数は特に限定されず、１個以上で、適宜の数を設定すればよい。８個の収納モジュール３１は、この例では、装置の奥行き方向（図２の紙面左右方向）に４個並んで１列を構成すると共に、その列が上下方向に２列を構成するように積み重ねられている。
【００５０】
この巻き取り方式の収納モジュール３１は、特開２０００−１２３２１９号公報に例示されるように、概略矩形箱状の筐体内に、紙幣をガイドする一枚のテープ、ガイド部材、及び、紙幣と共にテープを巻き取るリールを備えて構成されるか、又は、国際公開２０１１／０３６７８２号に例示されるように、筐体内に、紙幣を挟む２枚のテープ、及び、紙幣を挟み込んだ２枚のテープを巻き取るリールを備えて構成される。いずれの構成においても、巻き取り方式の収納モジュール３１は、紙幣を一枚ずつ巻き取って収納すると共に、その収納した順番とは逆順で、紙幣を一枚ずつ繰り出す、いわゆる先入れ後出しとなるように紙幣を収納する。各収納モジュール３１は、紙幣を互いに所定間隔を隔てながらリールに巻き取る。各収納モジュール３１にはまた、筐体の内外を連通するように形成された出入口の近傍に、紙幣の通過を検知する検知センサが設けられている。
【００５１】
金庫部側搬送部４３の搬送路４３１は、処理部側搬送部４１のループ搬送路４１１と同様に、ローラ、ベルト及びガイドの組み合わせによって構成されており、この搬送路４３１もまた、紙幣を一枚ずつ短手搬送する。搬送路４３１は、ループ搬送路４１１上の第１の分岐機構４１９から、鉛直下向きに延びると共に、その下端部において、奥行き方向の手前側（図２の紙面右側）及び奥側（図２の紙面左側）のそれぞれに分岐している。入出金機１の奥側に向かって延びる分岐路は、上下に積み重ねられた２列の収納モジュール３１の間に配設されている。各収納モジュール３１は、この分岐路上に設けられた各振分機構４３３を介して分岐路に接続されている。各振分機構４３３は、後述する制御部５１３によって駆動制御され、そのことにより、紙幣が、識別部２５によって識別された金種及び／又は正損等に応じて複数の収納モジュール３１に振り分けられて収納されることになる。
【００５２】
この入出金機１では、紙幣を一時的に保留する一時保留部５１、及び、金庫部１３の防護筐体１３１内に着脱可能に取り付けられる回収カセット５３が、オプションで装着されるように構成されている。
【００５３】
一時保留部５１は、図２に二点鎖線で示すように、処理部側筐体１１１内における、奥行き方向の手前側に設けられた空きスペース内に装着される。一時保留部５１は、前述したように、接続路４１１５を介して、第２の分岐機構４１１１に接続される。一時保留部５１は、この例では、前述した収納モジュール３１と同様に、２枚のテープを利用した巻き取り方式であり、紙幣の順番を入れ替えることなく、先入れ後出しとなるように紙幣を収納する。
【００５４】
回収カセット５３は、図２に二点鎖線で示すように、防護筐体１３１内における、奥行き方向の手前側に設けられた空きスペース内に、着脱可能に装着される。回収カセット５３は、前述したように、カセット接続路４１１７を介して、ループ搬送路４１１上の第３の分岐機構４１１３に接続されている。回収カセット５３は、巻き取り式の収納モジュール３１や一時保留部５１とは異なり、その内部に昇降する集積台を備えかつ、この集積台上に紙幣を重ねて収納するように構成されている。これにより、回収カセット５３に収納された紙幣は、そこから繰り出すことはできない。回収カセット５３には、例えば入金処理時に入金口２１１に投入された紙幣の内、収納部３に収納しきれなかったオーバーフロー紙幣が収納される。また、出金処理時等に識別不可であったリジェクト対象紙幣が、この回収カセット５３に収納される場合がある。従って、回収カセット５３が未装着のときには、オーバーフロー紙幣やリジェクト対象紙幣は、出金口２３１に払い出される。
【００５５】
尚、図示は省略するが、防護筐体１３１内の空きスペースには、回収カセット５３が配設される代わりに、巻き取り式の収納モジュール３１が、さらに追加して装着される場合がある。追加の収納モジュール３１は、例えば２個のモジュールが上下に積み重ねられて配設される場合があり、これら２個の収納モジュール３１はそれぞれ、搬送路４３１の下端から奥行き方向の手前側に延びる分岐路に対し、前述した振分機構を介して接続される。
【００５６】
図３は、入出金機１の動作制御に係る構成を示している。入出金機１は、例えば周知のマイクロコンピュータをベースとした制御部５１３を備えている。制御部５１３には、前述した入金部２１、出金部２３、第１−第ｎの収納モジュール３１を含む収納部３、処理部側搬送部４１、及び金庫部側搬送部４３が、信号の送受信可能に接続されている。これらの各部２１，２３，３，４１，４３は、図示は省略するが、例えば搬送路を搬送されている紙幣を検知するといった機能を有する各種のセンサを含んでおり、各種センサの検知信号は制御部５１３に入力される。制御部５１３は、入力された検知信号等に基づいて制御信号を出力し、各部２１，２３，３，４１，４３は、その制御信号に従って動作をする。
【００５７】
制御部５１３にはまた、識別部２５が接続されており、識別部２５は、識別結果を制御部５１３に提供する。さらに、図１等では図示を省略するが、テラー等の、この入出金機１を操作するオペレータに対するヒューマンインターフェース部分としての操作部５５、入出金機１が、例えばＬＡＮやシリアルバスを通じて、図示を省略する上位機及びその他の機器との間で信号の送受信を行うための通信部５７、及び、各種の情報を記憶するための、例えばハードディスクドライブやフラッシュメモリ等の汎用のストレージデバイスにより構成される記憶部５９がそれぞれ、入出金機１に接続されている。
【００５８】
記憶部５９は、入出金機１が収納している紙幣の金種別枚数又は金額である在高を少なくとも記憶する。また、記憶部５９は、収納モジュール３１毎の在高、及び、各収納モジュール３１に収納されている紙幣の情報（金種及び正損等）も記憶する。
【００５９】
前述したように、オプション機器である一時保留部５１や回収カセット５３が、この入出金機１に装着されるときには、それらの機器５１，５３もまた、制御部５１３に接続されることにより、制御部５１３が出力する制御信号に従って動作をする。また、入出金機１には、各種の情報を表示するための、例えばフラットパネルディスプレイからなる表示部５１１がオプション機器として装着可能に構成されており、この表示部５１１もまた、制御部５１３に接続される。
【００６０】
制御部５１３は、通信部５７を通じて受けた上位機からの指令、及び／又は、操作部５５を通じて受けた各種の指令に応じて、各部２１，２３，２５，３，４１，４３，５１，５３，５５，５７，５９，５１１の動作を制御する。このことにより、入出金機１は、以下に説明する入金処理及び出金処理を含む、各種処理を行う。入出金機１において実行した各種の処理の履歴は、記憶部５９にログとして記憶される。
【００６１】
（入金処理）
入金処理は、入出金機１に紙幣を入金（収納）する処理であり、入金口２１１に投入された紙幣は、識別部２５による識別結果と、予め設定された収納割当とに従って、いずれかの収納モジュール３１に収納される。より詳細に、入出金機１は、入金処理の際には、次のように動作する。すなわち、入金する紙幣を入金口２１１に投入した状態で、例えば上位機及び／又は操作部５５の操作によって入金処理の開始コマンドを、入出金機１に入力する。図４に矢印で示すように、入金部２１の繰り出し機構は、入金口２１１の紙幣を一枚ずつ繰り出し、処理部側搬送部４１は、各紙幣を識別部２５に搬送する。識別部２５は、その紙幣の識別を行うと共に、計数を行う。処理部側搬送部４１はまた、識別部２５によって正常に識別された紙幣（この紙幣を、リジェクト対象紙幣の対の名称として正常紙幣と呼ぶ）を、図４に実線の矢印で示すように、ループ搬送路４１１から、第１の分岐機構４１９を通って金庫部側搬送部４３の搬送路４３１へと搬送する。金庫部側搬送部４３は、識別部２５による識別結果、及び、予め設定された収納割当に従って、各紙幣を所定の収納モジュール３１に収納する。すなわち、各紙幣は、金種別や正損別に応じて、いずれかの収納モジュール３１に収納される。
【００６２】
一方、処理部側搬送部４１は、識別部２５において真偽の識別ができない紙幣等、入出金機１がそのまま受け入れることができないリジェクト対象紙幣を、図４に破線の矢印で示すように、ループ搬送路４１１から分岐機構４１７を通って払出路４１５へと搬送する。そうして、リジェクト対象紙幣は、出金口２３１に払い出される。尚、入金処理時に発生したリジェクト対象紙幣は、入金口２１１に再度投入され、識別部２５による識別が、もう一度行われることになる。入金処理時の識別及びリジェクト対象紙幣の判断に関しては、後で詳述する。
【００６３】
また、入金処理時に、収納モジュール３１が満杯になることに起因して収納できなくなった紙幣（つまり、オーバーフロー紙幣）も、出金口２３１に払い出される。尚、図示は省略するが、入出金機１に回収カセット５３が装着されているときには、オーバーフロー紙幣は、回収カセット５３に収納される。
【００６４】
制御部５１３は、入金処理の終了後に、記憶部５９に記憶している、各収納モジュール３１の在高を更新する。制御部５１３はまた、入金処理の終了後に、各収納モジュール３１に収納されている紙幣の情報（金種及び正損等）も更新する。
【００６５】
（出金処理）
出金処理は、入出金機１に収納されている紙幣を払い出す処理である。具体的には、上位機及び／又は操作部５５において、出金金額を指定して最小構成枚数の金種と枚数を自動的に指定するか、又は、金種と枚数を直接指定する、所定の出金操作を行うことによって出金処理は開始する。収納部３は、図５に実線の矢印で示すように、指定された金種の紙幣を、それが収納されている収納モジュール３１から、指定された枚数だけ繰り出す。金庫部側搬送部４３は、繰り出された紙幣を、搬送路４３１を介して、処理部側搬送部４１のループ搬送路４１１へと搬送する。処理部側搬送部４１は、各紙幣を識別部２５に搬送し、識別部２５が識別を行った後に、ループ搬送路４１１から分岐機構４１７を通って払出路４１５へと搬送する。そうして、出金口２３１に各紙幣が払い出される。制御部５１３は、出金処理の終了後に、記憶部５９に記憶している、各収納モジュール３１の在高を更新すると共に、各収納モジュール３１に収納されている紙幣の情報も更新する。つまり、収納モジュール３１から繰り出した紙幣の情報を消去する。
【００６６】
ここで、図５に示すように、一時保留部５１や回収カセット５３が装着されていない入出金機１においては、出金処理時に、識別部２５による識別が不可であった等の理由によりリジェクト対象紙幣と判断された紙幣は、正常紙幣と共に、出金口２３１に払い出すことになる。出金処理時にリジェクト対象紙幣が発生したときには、上位機及び／又は表示部５１１に、その旨（エラーメッセージ）が表示され、それによって、オペレータは、出金口２３１に払い出された紙幣に、リジェクト対象紙幣が含まれていることを認識することができる。こうすることで、違算の発生が未然に回避される。尚、出金処理時における識別及びリジェクト対象紙幣の判断に関しても、後で詳述する。
【００６７】
（精査処理）
精査処理は、収納モジュール３１に収納している紙幣を確定させるための処理であり、基本的には、収納モジュール３１内に収納している紙幣を全て繰り出し、その後、繰り出した紙幣について、一枚一枚識別を行いながら、元の収納モジュール３１に戻すことを行う。
【００６８】
精査処理は、例えば、収納モジュール３１が装置から取り外されて、そこに設けられている扉が一旦開けられたことを検知したときに行われる。これは、収納モジュール３１が開けられたときには、収納モジュール３１内に収納されている紙幣の枚数等が不確定になり、収納モジュール３１に収納されている紙幣の現物枚数と、入出金機１の記憶部５９が記憶している在高とが不一致になるためである。また、収納モジュール３１が交換された場合にも精査処理が行われる。
【００６９】
また、入金処理時に収納モジュール３１の出入口付近において紙幣のジャムが生じたとき（エラー時）にも精査処理が行われる。これは、エラー時に、収納モジュール３１の出入口付近に設けたセンサが紙幣の通過を検知していたにも拘わらず、出入口付近においてジャムとなった紙幣が例えば手で取り除かれたり、逆に、センサが紙幣の通過を検知していないにも拘わらず、ジャムとなった紙幣が手で収納モジュール３１内に収納されたりすることで、収納モジュール３１内に収納されている紙幣の枚数等が不確定になるためである。
【００７０】
さらに、出金処理時にリトライが発生したときにも精査処理が行われる。このリトライとは、巻き取り式の収納モジュール３１から紙幣を繰り出そうとしたときに、紙幣とテープとの分離ができなかったため、リールを巻き直してもう一度、紙幣の繰り出しを行うことであり、リールを巻き直した際に、紙幣同士が重なり合ってしまう可能性があり、収納モジュール３１から繰り出した紙幣の枚数が不確定、言い換えると、収納モジュール３１内に収納している紙幣の枚数が不確定になるためである。
【００７１】
こうした現物枚数と在高との不一致の状態は、収納モジュール３１内の紙幣の管理ができず、収納モジュール３１が正常でない（異常である）と言い換えることができる。尚、上位機等において精査処理の実行が指定された場合も、精査処理は行われる。こうした精査処理は、個々の収納モジュール３１について個別に行われる場合と、全ての収納モジュール３１について、順次行われる場合とがある。
【００７２】
制御部５１３は、精査処理が必要な状況を検知したときには、通常は正常とされている「フラグ」を異常にする。フラグは、精査処理が必要な収納モジュール３１について、精査処理が実行されるまで異常のままに保持され、精査処理が実行されれば、フラグは正常に切り替えられる。
【００７３】
精査処理における入出金機１の動作としては、先ず、図５に示す出金処理と同様に、精査処理の対象である収納モジュール３１から、紙幣を一枚ずつ繰り出し、識別部２５において識別を行った後に、搬送部４１は、繰り出された紙幣を出金口２３１に払い出す。そうして、収納モジュール３１内の紙幣が全て繰り出されて当該収納モジュール３１は空になる。
【００７４】
精査対象の収納モジュール３１内に収納されている紙幣の全てが出金口２３１に払い出されれば、その繰り出された紙幣の全てが入金口２１１に投入され、図４に示す入金処理と同様に、その入金口２１１から紙幣が一枚ずつ繰り出され、ループ搬送路４１１を通じて識別部２５に搬送される。そうして、識別部２５において識別が行われた後に、正常紙幣は、元の収納モジュール３１、つまり、精査対象の収納モジュール３１に収納される。
【００７５】
こうして、収納モジュール３１に収納している紙幣の金種及び枚数が確定し、当該収納モジュール３１について、記憶部５９内に記憶されている在高及び紙幣の情報のそれぞれが更新される。尚、入金口２１１から収納モジュール３１に紙幣を搬送しているときに発生したリジェクト対象紙幣は、出金口２３１に搬送されて、そこに払い出される。
【００７６】
（入金処理時及び出金処理時の識別及びリジェクト判定）
前述したように、この入出金機１は循環式の入出金機であり、出金処理時に払い出される紙幣には、入金処理時に収納モジュール３１に収納された紙幣が含まれる。入金処理時には、識別部２５における識別が行われることで、各収納モジュール３１に収納されている紙幣は、基本的にはリジェクト対象紙幣ではない正常紙幣である。また、ここでの説明は省略するが、補充処理において収納モジュール３１に収納される紙幣もまた、基本的にはリジェクト対象紙幣ではない正常紙幣である。
【００７７】
一方でこの入出金機１では、出金取引の確実性をより高める観点から、前述の通り、出金処理時にも識別部２５による識別を行うが、その識別の際に、リジェクト対象紙幣であると判定される場合がある。各収納モジュール３１から繰り出される紙幣そのものは、正常であるため、出金処理時にリジェクト対象紙幣であると判定される原因は主に、搬送異常にある。つまり、図７（ａ）に例示するように、搬送路４に沿って紙幣ＢＮを搬送している際に紙幣ＢＮが斜めに搬送される場合（斜行）、同図（ｂ）に２つ例示するように、複数の紙幣ＢＮが所定の間隔を隔てないで搬送される場合（連鎖）、同図（ｃ）に例示するように、複数の紙幣ＢＮの一部が重なる等して、識別した金種に対し紙幣の大きさが対応しない場合（札長異常）、及び、同図（ｄ）に例示するように、複数の紙幣ＢＮが重なって搬送される場合（重送）等においてリジェクト対象紙幣であると判定され得る。
【００７８】
これらの搬送異常の内でも、図７（ａ）に例示する斜行、図７（ｂ）に例示する連鎖、図７（ｃ）に例示する札長異常等は、紙幣の枚数は確定することが可能である一方で、紙幣そのものは正常であるから、これをリジェクト対象紙幣と判定することは、誤判定又は不要なリジェクト判定ということができる。出金処理時に、こうした誤判定等が頻繁に生じてしまうと、ユーザの使い勝手を損ねてしまうという問題もある。
【００７９】
そこで、この入出金機１では、出金処理時においては、識別部２５で識別を行う複数の識別要因の内、一部の要因については、リジェクト対象紙幣であるか、又は、リジェクト対象外紙幣であるかの判断に利用しないことで、出金取引の確実性は確保しつつも、不要なリジェクト判定が発生することを回避するようにしている。
【００８０】
具体的には図６に示すように、識別部２５において識別を行う識別要因として、前記の「斜行」「連鎖」「重送（多重搬送）」「札長異常」「対象外金種」「金種判定異常（不確定）」等の複数の要因が予め設定されている。尚、図６は識別要因の例示であり、これら以外の要因を含んでいてもよい。ここで、「対象外金種」とは、所定金種が収納されている収納モジュール３１から繰り出された紙幣であるのに、当該所定金種であると確定することができないことであり、「金種判定異常」とは、金種を確定することができないことである。
【００８１】
識別部２５において識別をする複数の識別要因のそれぞれについて、当該識別要因を、リジェクト対象紙幣であるか、又は、リジェクト対象外紙幣であるか（つまり、正常紙幣であるか）の判断に利用するか（判断要因）、又は、利用しないか（非要因）、を設定可能に構成されている。このような設定は、ユーザが、入出金機１における操作部５５を手動操作することによって行うことが可能であり、その設定内容は記憶部５９に記憶される。設定時には、入出金機１の表示部５１１に設定用画面を表示してもよい。また、通信部５７を介して入出金機１に接続される上位機において、ユーザが手動操作することによって設定を行うことも可能である。上位機において設定した内容は、上位機から通信部５７に設定内容信号として送信され、通信部５７が受信した信号に基づいて、記憶部５９に設定内容が記憶される。従って、入出金機１における操作部５５又は通信部５７が設定部に相当する。
【００８２】
図６に示す例では、入金処理時には、「斜行」「連鎖」「札長異常」「重送」「対象外金種」及び「金種判定異常」の全ての識別要因が、判断要因に設定されている（図６においては、判断要因に設定することを「リジェクト」と記している）。つまり、これらの識別要因のいずれが該当しても、当該紙幣はリジェクト対象紙幣と判断される。
【００８３】
これに対し出金処理時には、「斜行」「連鎖」「札長異常」「重送」「対象外金種」及び「金種判定異常」の識別要因の内、「重送」及び「対象外金種」は、判断要因に設定する一方で、残りの「斜行」「連鎖」「札長異常」及び「金種判定異常」は、判断要因でない（つまり、非要因である）としている（図６においては、非要因に設定することを「ＯＫ」と記している）。従って、出金処理時には、「重送」又は「対象外金種」に該当する紙幣は、リジェクト対象紙幣と判断されるのに対し、「斜行」「連鎖」「札長異常」又は「金種判定異常」に該当する紙幣は、リジェクト対象外紙幣、つまり正常紙幣と判断される。こうして出金処理時には、識別要因の内の一部の要因を非要因とすることで、判断要因の数が減るから、リジェクト対象紙幣と判定されることが減少することになる。
【００８４】
ここで、非要因とすることが可能な識別要因は、紙幣の枚数を特定することが可能な要因である。つまり、「重送」は、識別部２５を通過する際に検出した紙幣の厚みが１枚以上の厚みを有していることを識別しているが、こうした「重送」は、紙幣の枚数を特定することができない。そのため、「重送」と識別された紙幣をそのまま出金口２３１に払い出してしまうと、出金口２３１に払い出された紙幣の枚数が不確定になってしまう。これは、違算の発生を招く。従って、紙幣の枚数を特定することができない識別要因は、非要因とすることができず、紙幣の枚数を特定することができる識別要因のみが、非要因に設定することが可能に構成されている。
【００８５】
さらに、図６の例では、「対象外金種」も非要因に設定することができない。これは、「対象外金種」は所定金種が収納されている収納モジュール３１から繰り出された紙幣であるのに、当該所定金種であると確定することができないため、リジェクト対象紙幣でないとして、そのまま出金口２３１に払い出してしまうと、出金金額を特定することができなくなり、違算に繋がる危険性があるためである。
【００８６】
また、図６の例では、「金種判定異常（不確定）」については、非要因であると共に、入金処理時の識別結果を、出金処理時の識別結果として置き換えるように設定している。前述の通り、「金種判定異常（不確定）」は、出金処理時に、金種を確定することができないことに相当するが、入金処理時には正常に識別が行われて金種等が特定されていることから、入金処理時の識別結果をそのまま利用することが可能である。そこで、識別部２５において、金種判定異常と識別された紙幣については、記憶部５９に記憶されている紙幣の情報（つまり入金処理時の識別結果に基づいて記憶した情報）を読み出し、当該情報を、出金処理時に識別した識別結果に置き換える。こうすることで、出金処理時に金種情報等が得られなかった紙幣を、リジェクト対象外紙幣として出金口２３１に払い出したときでも、出金金額の確定をすることができ、出金取引の確実性が高まる。
【００８７】
図６の例ではさらに、出金処理時の設定として、収納モジュール３１の正常／異常を示す、前述のフラグによって、その設定内容が変更されるように構成されている。前述したように、エラー時やリトライの発生等によって、収納モジュール３１の状態を示すフラグが異常を示しているときには、全ての識別要因を判断要因とする。これはフラグが異常を示しているときには、収納モジュール３１内に収納されている紙幣の枚数が不確定であると共に、紙幣の管理ができていない状態であり、収納モジュール３１内に収納されている紙幣は、基本的に正常紙幣であるという前提条件が崩れるためである。フラグが異常を示している収納モジュール３１から繰り出した紙幣については、全ての識別要因を判断要因とする。このことによって、収納モジュール３１から繰り出した紙幣について、リジェクト対象紙幣であるか否かの決定が適確に行われるから、出金取引の確実性が確保される。
【００８８】
ここで、前記のフラグは、収納モジュール３１毎に設定されることから、一つの出金処理（一取引）においても、正常フラグである収納モジュール３１から繰り出した紙幣については、正常フラグ時の判断要因／非要因の設定内容に従って、リジェクト対象紙幣であるか、又は、リジェクト対象外紙幣であるかの決定を行えばよく、異常フラグである収納モジュール３１から繰り出した紙幣についてのみ、異常フラグ時の設定内容（図例では、全て判断要因）に従って、リジェクト対象紙幣であるか、又は、リジェクト対象外紙幣であるかの決定を行えばよい。
【００８９】
また、出金処理の途中において、正常フラグであった収納モジュール３１においてリトライが発生することに伴い、当該収納モジュール３１について異常フラグが立った時には、その異常フラグが立った後において、異常フラグ時の設定内容（図例では、全て判断要因）に従って、リジェクト対象紙幣であるか、又は、リジェクト対象外紙幣であるかの決定を行えばよい。
【００９０】
尚、ここの開示する技術は、入出金機に適用する他に、出金機に適用してもよい。
【符号の説明】
【００９１】
１    入出金機（紙幣処理装置）
２１  入金部
２３  出金部
２５  識別部
３  収納部
３１  収納モジュール
５１１  表示部（警告部）
５１３  制御部
５５  操作部（設定部）
５７  通信部（設定部）
５９  記憶部
【図１】
2014026307.tif 000003
【図２】
2014026307.tif 000004
【図３】
2014026307.tif 000005
【図４】
2014026307.tif 000006
【図５】
2014026307.tif 000007
【図６】
2014026307.tif 000008
【図７】
2014026307.tif 000009